(57)【要約】      （修正有）【課題】屋根材一体型太陽電池を、端子ボックスの空間を確保しつつ、太陽電池セルが割れない程度の強度を保つように取り付けた屋根一体型太陽電池を提供する。【解決手段】金属鋼板からなる屋根材１１上に積層した太陽電池素子１３を封止材により一体化した屋根材一体型太陽電池を備え、屋根材１１は、棟側と軒側にそれぞれ形成された係合部を介して隣接する屋根材一体型太陽電池と連結し、且つ吊子Ｉ型３０，吊子ＩＩ型４０により建造物の屋根に取り付けられていることを特徴とする。【選択図】図４
0003200146.tif 000002
【実用新案登録請求の範囲】
【請求項１】
金属鋼板からなる屋根材上に積層した太陽電池素子を封止材により一体化した屋根材一体型太陽電池を備え、
前記屋根材は、棟側と軒側にそれぞれ形成された係合部を介して隣接する屋根材一体型太陽電池と連結し、且つ吊子により建造物の屋根に取り付けられている
ことを特徴とする屋根一体型太陽電池。
【請求項２】
前記吊子は、棟側と軒側に隣接して敷設された屋根材をはぜ締めにより連結する連結用フック部と、当該連結用フック部に連設され上部が開放された断面コ字形状に折曲形成された第１取り付け部と、当該第１取り付け部に平面状に連設された屋根材掛上部と、当該屋根材掛上部に連設された第２取り付け部とを有することを特徴とする請求項１に記載の屋根一体型太陽電池。
【請求項３】
前記吊子の前記第１取り付け部は、前記連結用フック部の上段部を屋根側に略直角に折曲形成した軒側起立部と、当該軒側起立部に連設してボルト孔が設けられた第１取り付け部底部と、当該第１取り付け部底部に対して略直角に折曲形成した棟側起立部と、を有し、当該軒側起立部の高さに対して当該棟側起立部の高さが９０％〜９８％の範囲で形成されていることを特徴とする請求項２に記載の屋根一体型太陽電池。
【請求項４】
前記第１取り付け部の前記棟側起立部と前記屋根材掛上部との角度が８０度〜８８度の範囲になるように形成されていることを特徴とする請求項２又は３に記載の屋根一体型太陽電池。
【請求項５】
前記屋根材一体型太陽電池は、前記屋根材の裏面に端子ボックスを設け、前記吊子は、前記屋根材掛上部の中間部分に屋根側に折曲形成した端子ボックス用段落部を有することを特徴とする請求項２乃至４のいずれか１項に記載の屋根一体型太陽電池。
【請求項６】
前記封止材層は、フッ素系樹脂から構成されることを特徴とする請求項１乃至５のいずれか１項に記載の屋根一体型太陽電池。
【考案の詳細な説明】
【技術分野】
【０００１】
本考案は、屋根一体型太陽電池に関する。
【背景技術】
【０００２】
従来、太陽電池パネルを屋根上に配置して太陽光発電を行う装置として、太陽電池パネル自体を屋根材として用い、瓦と同様に野地板上に太陽電池パネルを葺いていく方法が知られている。例えば、特許文献１には、屋根材ブロックの上面に太陽電池を設けた構成になり、その複数枚をアレイ状に並べて屋根面に横葺きする屋根材一体型太陽電池モジュールが記載されている。
【先行技術文献】
【特許文献】
【０００３】
【特許文献１】特開２００４−２３８９９７号公報
【考案の概要】
【考案が解決しようとする課題】
【０００４】
ところで、通常、屋根材一体型太陽電池モジュールの裏面には端子ボックスが突き出ているため、野地板やルーフィング上に設置する際、後ハゼや前ハゼの高さを調整する等の処置により端子ボックスの空間を確保する必要がある。さらに、屋根材一体型太陽電池モジュールを施工する際に、太陽電池セルが割れない程度の強度を保つ必要がある。
本考案の目的は、屋根材一体型太陽電池を、端子ボックスの空間を確保しつつ、太陽電池セルが割れない程度の強度を保つように取り付けた屋根一体型太陽電池を提供することにある。
【課題を解決するための手段】
【０００５】
本考案によれば、金属鋼板からなる屋根材上に積層した太陽電池素子を封止材により一体化した屋根材一体型太陽電池を備え、前記屋根材は、棟側と軒側にそれぞれ形成された係合部を介して隣接する屋根材一体型太陽電池と連結し、且つ吊子により建造物の屋根に取り付けられていることを特徴とする屋根一体型太陽電池が提供される。
前記吊子は、棟側と軒側に隣接して敷設された屋根材をはぜ締めにより連結する連結用フック部と、当該連結用フック部に連設され上部が開放された断面コ字形状に折曲形成された第１取り付け部と、当該第１取り付け部に平面状に連設された屋根材掛上部と、当該屋根材掛上部に連設された第２取り付け部とを有することが好ましい。
前記吊子の前記第１取り付け部は、前記連結用フック部の上段部を屋根側に略直角に折曲形成した軒側起立部と、当該軒側起立部に連設してボルト孔が設けられた第１取り付け部底部と、当該第１取り付け部底部に対して略直角に折曲形成した棟側起立部と、を有し、当該軒側起立部の高さに対して当該棟側起立部の高さが９０％〜９８％の範囲で形成されていることが好ましい。
前記第１取り付け部の前記棟側起立部と前記屋根材掛上部との角度が８０度〜８８度の範囲になるように形成されていることが好ましい。
前記屋根材一体型太陽電池は、前記屋根材の裏面に端子ボックスを設け、前記吊子は、前記屋根材掛上部の中間部分に屋根側に折曲形成した端子ボックス用段落部を有することが好ましい。
ここで、前記封止材層は、フッ素系樹脂から構成されることが好ましい。
【考案の効果】
【０００６】
本考案の屋根一体型太陽電池は、屋根材一体型太陽電池を、端子ボックスの空間を確保しつつ、太陽電池セルが割れない程度の強度を保つように取り付けられている。
【図面の簡単な説明】
【０００７】
【図１】屋根一体型太陽電池の一例を説明する図である。
【図２】屋根材一体型太陽電池の一例を説明する概略図である。図２（ａ）は、屋根材一体型太陽電池の受光面側の概略図であり、図２（ｂ）は、屋根材一体型太陽電池の屋根側（裏面）の概略図である。
【図３】屋根材一体型太陽電池の連結状態の一例を説明する概略図である。
【図４】吊子の一例を説明する図である。
【図５】図４に示す吊子のＢ−Ｂ’断面図である。
【図６】図４に示す吊子のＣ−Ｃ’断面図である。
【図７】図２（ａ）に示す屋根材一体型太陽電池のＡ−Ａ’断面図である。
【考案を実施するための形態】
【０００８】
以下、本考案の実施の形態について詳細に説明する。尚、本考案は、以下の実施の形態に限定されるものではなく、その要旨の範囲内で種々変形して実施することができる。すなわち、実施の形態の例に記載されている構成部品の寸法、材質、形状、その相対的配置等は特に記載がない限り、本考案の範囲を限定する趣旨ではなく、単なる説明例に過ぎない。また、使用する図面は、本実施の形態を説明するための一例であり、実際の大きさを表すものではない。各図面が示す部材の大きさや位置関係等は、説明を明確にするため誇張していることがある。また、本明細書において、「層上」等の「上」は、必ずしも上面に接触して形成される場合に限定されず、離間して上方に形成される場合や、層と層の間に介在層が存在する場合も包含する意味で使用する。
【０００９】
＜屋根一体型太陽電池２０＞
図１は、本実施の形態が適用される屋根一体型太陽電池２０の一例を説明する図である。屋根一体型太陽電池２０は、建物２の上部の切妻型屋根１００に施工される。図１に示すように、本実施の形態では、屋根一体型太陽電池２０は、５０枚の屋根材一体型太陽電池１０から構成され、切妻型屋根１００の野地板（図示せず）に直接取り付けられている。
後述するように、屋根材一体型太陽電池１０は、横葺き式屋根材ブロック上に積層した太陽電池素子を封止材により一体化し、太陽電池素子の出力リード線を引き出した構造を有している。屋根材一体型太陽電池１０は、それぞれ横葺き式屋根材ブロックの周縁に沿って形成された係合部を介して隣接する屋根材一体型太陽電池１０の屋根材ブロックとの間を連結し、屋根瓦と同様な雨仕舞の機能を有するように敷設されている。
【００１０】
屋根一体型太陽電池２０を構成する屋根材一体型太陽電池１０を備えた発電システムは、例えば、屋根材一体型太陽電池１０が発電した直流電圧を一つにまとめる接続箱３と、分電設備として、屋根材一体型太陽電池１０が発電した直流電圧を交流電圧に変換するパワーコンディショナ（直流交流変換器）４と、パワーコンディショナ４により変換された交流電圧を建物２内の家電製品Ｅ等に供給する分電盤５とを有している。パワーコンディショナ４を介して分電盤５に供給された電力は、建物２外の給電設備７にも供給される。ここで、給電設備７は、発電所にて発電した電力を供給する設備である。また、給電設備７から供給された電力は、分電盤５を含む分電設備に供給され、さらに、建物２内の家電製品Ｅ等に供給される。建物２外の給電設備７に供給される電力と、給電設備７から供給された電力は、それぞれ、売電メータ６ａと買電メータ６ｂにより表示される。
【００１１】
接続箱３は、屋根一体型太陽電池２０と分電設備（パワーコンディショナ４，分電盤５）との間を接続するコネクタ等の接続部を収納し、屋根一体型太陽電池２０からの電流は接続箱３を経由してパワーコンディショナ４へ流れている。また、パワーコンディショナ４には、屋根一体型太陽電池２０から建物２外の給電設備７へ供給する電力を変調するいわゆるインバーター機能等を搭載することも可能である。
【００１２】
図２は、屋根材一体型太陽電池１０の一例を説明する概略図である。図２（ａ）は、屋根材一体型太陽電池１０の受光面側の概略図であり、図２（ｂ）は、屋根材一体型太陽電池１０の屋根側（裏面）の概略図である。
図２（ａ）、図２（ｂ）に示すように、本実施の形態が適用される屋根材一体型太陽電池１０は、金属鋼板からなる屋根材１１と、屋根材１１上に積層された太陽電池素子１３と、太陽電池素子１３を屋根材１１上に一体となるように封止し且つ太陽電池素子１３の受光面側の表面を被覆する封止材層１４とを有している。
屋根材１１は、屋根葺きに使用される横葺き式屋根材ブロック（平方瓦等）と同様に、隣接する屋根材と連結するための周縁に沿って形成された棟側係合部１５ａ及び軒側係合部１５ｂを有している。太陽電池素子１３は集電電極１６ａ，１６ｂと、接続端子１７ａ，１７ｂを備えている。さらに、屋根材１１の屋根側（裏面）には、太陽電池素子１３に接続するケーブル１８及び端子ボックス１９が設けられている。
【００１３】
図３は、屋根材一体型太陽電池１０の連結状態の一例を説明する概略図である。図３に示すように、本実施の形態では、屋根材一体型太陽電池１０の屋根材１１を、横葺き式屋根材ブロック（平方瓦等）と同様に、切妻型屋根１００の棟及び軒と平行に（横向きに）敷設して、複数の太陽電池素子１３が直列に結合した屋根一体型太陽電池２０を構成している。この場合、屋根材一体型太陽電池１０は、屋根材１１の周縁に形成された棟側係合部１５ａと棟側に隣接する他の屋根材１１の軒側係合部１５ｂとを連結し、さらに、軒側係合部１５ｂと軒側に隣接する他の屋根材１１の棟側係合部１５ａとを連結している。さらに、後述するように、屋根材１１は、図示しない吊子を用いて切妻型屋根１００に取り付けられている。
尚、横葺き式屋根材ブロック（平方瓦等）とは異なる実施の形態として、屋根材１１を縦葺き式屋根材ブロックと同様に使用し、切妻型屋根１００の棟及び軒と直交する（縦向きに）ように屋根に敷設することも可能である。
【００１４】
図４は、吊子の一例を説明する図である。図４に示すように、吊子は、屋根材一体型太陽電池１０（図２参照）を、屋根材１１を介して野地板５０に取り付けるために用いる短冊状の金属板であって、本実施の形態では、吊子Ｉ型３０と吊子ＩＩ型４０を使用している。
【００１５】
吊子Ｉ型３０は、全体として短冊状の軒側に形成された連結用フック部３１と、野地板５０に後述するドリルビスにより固定される第１取り付け部３２と、上部に載置される屋根材１１を支える屋根材掛上部３３と、棟側に形成され第２取り付け部３４とから構成されている。尚、吊子Ｉ型３０の上部に載置される屋根材１１は点線で示している。また、軒側に連結される屋根材１１が有する太陽電池素子１３は点線で示している。
【００１６】
後述するように、吊子Ｉ型３０の連結用フック部３１は、軒側の屋根材１１の棟側係合部１５ａと棟側に隣接する他の屋根材１１（点線で示す）の軒側係合部１５ｂとを巻き込み、さらに、第１取り付け部３２及び第２取り付け部３４を、ドリルビスを用いて野地板５０に固定することにより、屋根材１１が野地板５０に取り付けられている。
【００１７】
吊子ＩＩ型４０は、軒側に形成された連結用フック部３１と、野地板５０に固定される第１取り付け部３２と、上部に載置される屋根材１１を支える屋根材掛上部３３と、棟側に形成され第２取り付け部３４とを有し、さらに、屋根材掛上部３３の中間部分に屋根を形成する野地板５０側に折曲形成した端子ボックス用段落部３５が形成されている。
吊子ＩＩ型４０に端子ボックス用段落部３５を形成することにより、端子ボックス１９が吊子ＩＩ型４０の屋根材掛上部３３に接触することなく、屋根材１１が野地板５０に取り付けられる。また、端子ボックス１９に接続するケーブル１８は、吊子Ｉ型３０の屋根材掛上部３３と野地板５０との間の空間を通り抜けるように配置されている。
【００１８】
図５は、図４に示す吊子Ｉ型３０のＢ−Ｂ’断面図である。尚、屋根材１１上に形成されている太陽電池素子１３等は省略している。
図５に示すように、吊子Ｉ型３０は、棟側と軒側に隣接して敷設された屋根材１１をはぜ締めにより連結する連結用フック部３１と、当該連結用フック部３１に連設され上部が開放された断面コ字形状に折曲形成された第１取り付け部３２と、当該第１取り付け部３２に平面状に連設された屋根材掛上部３３と、当該屋根材掛上部３３に連設された第２取り付け部３４とを有している。第２取り付け部３４は屋根材掛上部３３に第２取り付け部段部３４１を設けて形成されている。
【００１９】
本実施の形態では、屋根材一体型太陽電池１０（図２参照）は、吊子Ｉ型３０の連結用フック部３１の切欠き３１１が、軒側の屋根材１１の棟側係合部１５ａと棟側に隣接する他の屋根材１１の軒側係合部１５ｂとを巻き込み、第１取り付け部３２の第１取り付け部底部３２３及び第２取り付け部３４の第２取り付け部底部３４２を、ドリルビス３６，ドリルビス３７をそれぞれ用いて野地板５０に固定することにより、野地板５０に取り付けられている。
【００２０】
吊子Ｉ型３０の第１取り付け部３２は、連結用フック部３１の上段部３１２を屋根側に略直角に折曲形成した軒側起立部３２１と、当該軒側起立部３２１に連設してボルト孔が設けられた第１取り付け部底部３２３と、当該第１取り付け部底部３２３に対して略直角に折曲形成した棟側起立部３２２と、を有している。
【００２１】
本実施の形態では、軒側起立部３２１の高さに対して棟側起立部３２２の高さが９０％〜９８％の範囲で、好ましくは高さが９４％〜９６％の範囲で形成されている。軒側起立部３２１の高さに対して棟側起立部３２２の高さを低く形成することにより、吊子Ｉ型３０は、野地板５０に対して所定の角度αを有するように傾斜して取り付けられている。
本実施の形態では、第１取り付け部３２の棟側起立部３２２と屋根材掛上部３３との角度αが８０度〜８８度の範囲になるように、好ましくは角度αが８４度〜８６度の範囲になるように形成されている。
【００２２】
図６は、図４に示す吊子ＩＩ型４０のＣ−Ｃ’断面図である。吊子Ｉ型３０と同様な構成については同じ符号を用いその説明は省略する。尚、屋根材１１上に形成されている太陽電池素子１３等は省略している。
図６に示すように、吊子ＩＩ型４０は、屋根材１１の中間部分に屋根側に折曲形成した端子ボックス用段落部３５が形成されている。本実施の形態では、端子ボックス用段落部３５の端子ボックス用段落部底部３５１が、野地板５０に接している。
屋根材一体型太陽電池１０（図２参照）を野地板５０に取り付ける際には、屋根材１１の裏面に設けられた端子ボックス１９は、吊子ＩＩ型４０の端子ボックス用段落部３５の空間部に嵌め込まれるように収容される。この場合、端子ボックス１９が吊子ＩＩ型４０の屋根材掛上部３３に接触することなく、屋根材１１が野地板５０に取り付けられる。
【００２３】
吊子ＩＩ型４０に端子ボックス用段落部３５を形成することにより、端子ボックス１９の空間が確保されるとともに、屋根材１１の下側に通気層ができる。このため、屋根材一体型太陽電池１０の温度上昇を抑制することが可能となる。また、吊子Ｉ型３０や吊子ＩＩ型４０が鋼板からなる屋根材１１を支える構造を採用することにより、屋根材一体型太陽電池１０の強度が増加し、ねじれ等の変形に対しても太陽電池素子１３の割れを防ぐことができる。
【００２４】
次に、図７を用いて、屋根材一体型太陽電池１０の層構造を説明する。
図７は、図２（ａ）に示す屋根材一体型太陽電池１０のＡ−Ａ’断面図である。尚、端子ボックス１９、集電電極１６ａ，１６ｂや接続端子１７ａ，１７ｂ等は省略している。
図７に示すように、本実施の形態が適用される屋根材一体型太陽電池１０は、金属鋼板からなる屋根材１１上に太陽電池素子１３を積層した構造を有し、封止材層１４により、屋根材１１及び太陽電池素子１３が一体となるように封止されている。
次に、ＥＶＡシート１２１上に、ポリエステル樹脂等からなるバックシート１３１が置かれ、さらに、バックシート１３１上に２枚のＥＶＡシート１３２，１３３に上下から挟まれた太陽電池素子１３が積層されている。
【００２５】
封止材層１４により、太陽電池素子１３と外気との絶縁性が保たれている。このように、封止材層１４は、屋根材１１と太陽電池素子１３の絶縁性を保つとともに、太陽電池素子１３を屋根材１１上に一体となるように封止し且つ太陽電池素子１３の受光面側の表面を被覆している。
封止材層１４により太陽電池素子１３を屋根材１１上に一体となるように封止した場合、屋根材表面から封止材層１４の受光面側表面までの高さ（厚さ）は、本実施の形態では、１０μｍ〜５ｍｍの範囲で、適宜選択される。
次に、本実施の形態が適用される屋根材一体型太陽電池１０の構成について説明する。
【００２６】
（屋根材１１）
屋根材１１としては、例えば金属板が挙げられる。具体的には、鉄、アルミニウム、銅、亜鉛、チタン、アルミニウム・亜鉛合金めっき鋼板であるガルバリウム鋼板等が採用される。熱伝導性に優れる点では、銅、アルミニウムまたはそれらの合金が好ましく、施工性、耐久性、価格等の面ではガルバリウム鋼板が適切である。
屋根材１１の厚さは特に限定されず、本実施の形態では、０．３ｍｍ〜１ｍｍの範囲で適宜選択される。また、屋根材１１の幅は、本実施の形態では、２００ｍｍ〜１０００ｍｍの範囲で適宜選択される。さらに、屋根材１１の長さは、本実施の形態では、７００ｍｍ〜５０００ｍｍの範囲で適宜選択される。
【００２７】
本実施の形態が適用される屋根材一体型太陽電池１０から構成された屋根一体型太陽電池２０（図１参照）は、太陽光発電した電力が、分電設備である分電盤５にて建物２内の家電製品Ｅ等あるいは給電設備７へ供給される。
【００２８】
（太陽電池素子１３）
本実施の形態で使用する太陽電池素子１３の構造は特に限定されず、例えば、アモルファスシリコン（ａ−Ｓｉ）型太陽電池が挙げられる。一般に、アモルファスシリコン（ａ−Ｓｉ）型太陽電池は、標準青板ガラス基板上にＳｉＯ２とＳｎＯ２の２層からなる透明電極、ｐ／ｉ／ｎ（又はｎ／ｉ／ｐ）型のアモルファスシリコンからなる発電膜及びＡｌからなる裏面電極を順次積層した構成となっている。このようなａ−Ｓｉ型太陽電池を複数個備えた屋根材一体型太陽電池１０は、互いに電気的に接続されている。
太陽電池素子１３の厚さは、本実施の形態では、１００μｍ〜２２０μｍの範囲である。太陽電池素子１３の幅と長さは、それぞれ１００ｍｍ〜２５０ｍｍの範囲で選択される。また、太陽電池素子１３の形状は、通常、一辺が１００ｍｍ〜２５０ｍｍの範囲の四辺形である。
【００２９】
尚、バックシート１３１としては、例えば、フッ素樹脂、ポリエステル樹脂、ポリエチレン、ポリスチレン、塩化ビニル、フェノール、ポリウレタン等からなる硬質の発泡剤からなる樹脂フォーム、ポリカーボネート樹脂等が使用できる。
【００３０】
また、アモルファスシリコン（ａ−Ｓｉ）型太陽電池に採用される太陽電池セルのアモルファスシリコン層の積層数としては、前述した２層構造以外、１層、３層、４層以上も可能である。また、太陽電池セルとしてシリコン結晶層を採用することも可能である。シリコン結晶層としては、シリコン単結晶、シリコン多結晶のいずれをも適用可能である。  さらに、太陽電池セルには化合物半導体層を備えることも可能である。化合物半導体の組成としては、例えば、２元系ではＧａＡｓやＣｄＳ等、３元系ではＣｕＩｎＳｅ２等が挙げられる。
【００３１】
（封止材層１４）
本実施の形態では、封止材層１４は絶縁性フッ素系樹脂から構成されることが好ましい。フッ素系樹脂としては、例えば、フッ素化合物をモノマーとするホモポリマー、コポリマー、タ−ポリマー等が挙げられる。モノマーの具体例は、テトラフルオロエチレン、ヘキサフルオロプロピレン、クロロトリフルオロエチレン、トリフルオロエチレン、ビニリデンフルオリド、ビニルフルオリド、ペルフルオロプロピルビニルエーテル、ペルフルオロメチルビニルエーテルまたはそれらの任意の組合せが挙げられる。
【００３２】
また、フッ素系樹脂としては、例えば、ポリテトラフルオロエチレン（ＰＴＦＥ）、フッ素化エチレンプロピレンコポリマー（ＦＥＰ）、テトラフルオロエチレンとペルフルオロプロピルビニルエーテルのコポリマー（ＰＦＡ）、テトラフルオロエチレンとペルフルオロメチルビニルエーテルのコポリマー（ＭＦＡ）、エチレンとテトラフルオロエチレンのコポリマー（ＥＴＦＥ）、エチレンとクロロトリフルオロエチレンのコポリマー（ＥＣＴＦＥ）、ポリクロロトリフルオロエチレン（ＰＣＴＦＥ）、ポリビニリデンフロライド（ＰＶＤＦ）、テトラフルオロエチレンとヘキサフルオロプロピレンおよびビニリデンフロライドを含むターポリマー（ＴＨＶ）またはそれらの任意の配合物または任意のアロイが例示される。
これらの中でも、ポリテトラフルオロエチレン（ＰＴＦＥ）、フッ素化エチレンプロピレン（ＦＥＰ）、ＰＦＡ、ポリビニリデンフロライド（ＰＶＤＦ）またはそれらの任意の組合せが好ましい。
【００３３】
（屋根材一体型太陽電池１０の製造方法）
本実施の形態が適用される屋根材一体型太陽電池１０の製造方法としては、例えば、先ず、太陽電池素子１３を、それぞれ所定の真空ラミネーターを用いて製造する。この場合、例えば、屋根材１１上に、ＥＶＡシート１２１、バックシート１３１、ＥＶＡシート１３２，１３３に挟まれた太陽電池素子１３、封止材層１４等を積層し、これらを真空中にて加熱し、圧着封止する一体成型加工（ラミネーション）が挙げられる。
一体成型加工の条件は、特に限定されないが、本実施の形態では、成型温度は、通常、１２０℃〜３８０℃の範囲で適宜選択される。また、成型時間は、通常、２０分間〜９０分間の範囲から適宜選択される。
【００３４】
本実施の形態が適用される屋根材一体型太陽電池１０は、金属屋根材に用いられるガルバリウム鋼板等を太陽電池素子１３の裏面補強材とした金属屋根一体型の太陽電池である。このような構造を有することにより、通常の金属屋根と同様な施工方法により、屋根一体型太陽電池２０を施工することができる。このため、屋根材一体型太陽電池１０自体が金属屋根材の一部となり、太陽電池素子１３が搭載されていない通常の金属屋根部分とも調和する。
本実施の形態が適用される屋根材一体型太陽電池１０は、受光面側の保護材としてガラスに代えてフッ素系樹脂を保護材としたことにより、軽量でフレキシブルな太陽電池が得られる。
【符号の説明】
【００３５】
２…建物、３…接続箱、４…パワーコンディショナ、５…分電盤、６ａ…売電メータ、６ｂ…買電メータ、７…給電設備、１０…屋根材一体型太陽電池、１１…屋根材、１３…太陽電池素子、１４…封止材層、１５ａ…棟側係合部、１５ｂ…軒側係合部、１６ａ，１６ｂ…集電電極、１７ａ，１７ｂ…接続端子、１８…ケーブル、１９…端子ボックス、２０…屋根一体型太陽電池、３０…吊子Ｉ型、３１…連結用フック部、３２…第１取り付け部、３３…屋根材掛上部、３４…第２取り付け部、３５…端子ボックス用段落部、３６，３７…ドリルビス、４０…吊子ＩＩ型、５０…野地板、１００…切妻型屋根、１２１…ＥＶＡシート、１３１…バックシート、１３２，１３３…ＥＶＡシート、３１１…切欠き、３１２…上段部、３２１…軒側起立部、３２２…棟側起立部、３２３…第１取り付け部底部、３４１…第２取り付け部段部、３４２…第２取り付け部底部、３５１…端子ボックス用段落部底部
【図１】
0003200146.tif 000003
【図２】
0003200146.tif 000004
【図３】
0003200146.tif 000005
【図４】
0003200146.tif 000006
【図５】
0003200146.tif 000007
【図６】
0003200146.tif 000008
【図７】
0003200146.tif 000009
【手続補正書】
【提出日】平成27年8月5日(2015.8.5)
【手続補正１】
【補正対象書類名】実用新案登録請求の範囲
【補正対象項目名】全文
【補正方法】変更
【補正の内容】
【実用新案登録請求の範囲】
【請求項１】
金属鋼板からなる屋根材上に積層した太陽電池素子を封止材層により一体化した屋根材一体型太陽電池を備え、
前記屋根材は、棟側と軒側にそれぞれ形成された係合部を介して隣接する屋根材一体型太陽電池と連結し、且つ吊子により建造物の屋根に取り付けられている
ことを特徴とする屋根一体型太陽電池。
【請求項２】
前記吊子は、棟側と軒側に隣接して敷設された屋根材をはぜ締めにより連結する連結用フック部と、当該連結用フック部に連設され上部が開放された断面コ字形状に折曲形成された第１取り付け部と、当該第１取り付け部に平面状に連設された屋根材掛上部と、当該屋根材掛上部に連設された第２取り付け部とを有することを特徴とする請求項１に記載の屋根一体型太陽電池。
【請求項３】
前記吊子の前記第１取り付け部は、前記連結用フック部の上段部を屋根側に略直角に折曲形成した軒側起立部と、当該軒側起立部に連設してボルト孔が設けられた第１取り付け部底部と、当該第１取り付け部底部に対して略直角に折曲形成した棟側起立部と、を有し、当該軒側起立部の高さに対して当該棟側起立部の高さが９０％〜９８％の範囲で形成されていることを特徴とする請求項２に記載の屋根一体型太陽電池。
【請求項４】
前記第１取り付け部の前記棟側起立部と前記屋根材掛上部との角度が８０度〜８８度の範囲になるように形成されていることを特徴とする請求項３に記載の屋根一体型太陽電池。
【請求項５】
前記屋根材一体型太陽電池は、前記屋根材の裏面に端子ボックスを設け、前記吊子は、前記屋根材掛上部の中間部分に屋根側に折曲形成した端子ボックス用段落部を有することを特徴とする請求項２乃至４のいずれか１項に記載の屋根一体型太陽電池。
【請求項６】
前記封止材層は、フッ素系樹脂から構成されることを特徴とする請求項１乃至５のいずれか１項に記載の屋根一体型太陽電池。